(57)【要約】      （修正有）【課題】使用者が直接新瓶に交換することにより、噴霧器内の液体を交換することができ、液体を清潔に保つことができる噴霧器を提供する。【解決手段】噴霧器は、取り外し可能な容器と振動機構とを含み、この容器は、霧化される予定の液体を収容するのに適し、取り外し可能な容器内には、少なくとも１つの吸水材があり、吸水材の一端は、該取り外し可能な容器の供液口に位置され、該吸水材のもう一端は、容器内の液体と接触する。振動機構は、取り外し可能な容器の供液口に接続され、振動機構は、振動霧化部品と霧噴出口とを有し、かつ取り外し可能な容器の供液口と、振動霧化部品と、霧噴出口とが順番に配置される。【選択図】図１
0003171422.tif 000002
【実用新案登録請求の範囲】
【請求項１】
霧化される予定の液体を収容する取り外し可能な容器と、
該取り外し可能な容器の供液口に接続される振動機構と、を含み
該取り外し可能な容器は、少なくとも１つの吸水材を含み、
該吸水材の一端は、該取り外し可能な容器の供液口に位置され、もう一端は、該液体と接触し、
該振動機構は、振動霧化部品と霧噴出口とを有し、
該吸水材は、該液体を該振動霧化部品へ誘導し、
該振動霧化部品は、該液体を霧化し、
該霧噴出口から霧が噴出されることを特徴とする噴霧器。
【請求項２】
該取り外し可能な容器の供液口と、該振動霧化部品と、該霧噴出口とが順番に配置されることを特徴とする請求項１に記載の噴霧器。
【請求項３】
該振動霧化部品が、実質的に該供液口の下方に位置され、または該供液口に平行に位置される時、該液体は、該吸水材により該供液口へ誘導され、さらに該振動霧化部品の振動により霧になり、該霧噴出口から下向きの方向に沿って噴出されることを特徴とする請求項１に記載の噴霧器。
【請求項４】
該振動機構は、さらに電源供給部品を含み、該電源供給部品は、該振動霧化部品へ電気エネルギーを提供することを特徴とする請求項１に記載の噴霧器。
【請求項５】
該振動機構は、さらに筺体を含み、該筺体は、第一端面を有し、該第一端面上には、取付孔が開口されており、該取付孔と該取り外し可能な容器の供液口とが接続され、該振動霧化部品は、該取付孔内に配置されていることを特徴とする請求項４に記載の噴霧器。
【請求項６】
該電源供給部品は、電池、または該筺体上に開口され、かつ外部電源と接続されているポートであることを特徴とする請求項４に記載の噴霧器。
【請求項７】
該ポートは、ユニバーサル・シリアル・バス（ＵＳＢ）ポートであることを特徴とする請求項６に記載の噴霧器。
【請求項８】
該液体は、水、生理食塩水、有機溶媒、薬物または精油を添加した溶液であることを特徴とする請求項１に記載の噴霧器。
【請求項９】
該噴霧器は、超音波噴霧器であることを特徴とする請求項１に記載の噴霧器。
【考案の詳細な説明】
【技術分野】
【０００１】
本考案は、噴霧器に関し、特に取り外し可能な容器を有する噴霧器に関する。
【背景技術】
【０００２】
噴霧器は、医療、美容または加湿の用途に利用可能であるため、医院、美容院および家庭において広く使用されている。一般的に、従来技術の噴霧器の基本構成としては、容器と、吸水材と、振動ユニットと、制御ユニットとが組み合わされる。容器内には、霧化される予定の液体が収容されている。吸水材は、振動ユニットに固定され、かつ容器内部に挿入されている。振動ユニットは、制御ユニットに電気的に接続されている。制御ユニットから高周波超音波信号が発生することにより、振動ユニットが振動し、さらに吸水材内の液体が飛散される。
【考案の概要】
【考案が解決しようとする課題】
【０００３】
しかし、一般的に、噴霧器は、長時間使用した後、吸水材と振動プレートとが直接接触し、かつ振動プレートが頻繁に振動するため、吸水材の繊維組織が破壊されやすく、さらに吸水材の吸水効果が影響される。
【課題を解決するための手段】
【０００４】
したがって、本考案は、従来技術に存在する問題を改善するため、新型の噴霧器を提供する。
【０００５】
本考案は、取り外し可能な容器と、振動機構とを含む噴霧器を提供する。その中、取り外し可能な容器は、少なくとも１つの吸水材を含み、吸水材の一端は、取り外し可能な容器の供液口に位置され、振動機構は、取り外し可能な容器の供液口に接続され、吸水材により液体を振動機構内の振動霧化部品へ誘導し、該振動霧化部品は、液体を霧化し、振動機構の霧噴出口から霧が放出される。
本考案の一実施例において、上記取り外し可能な容器の供液口と、振動霧化部品と、霧噴出口とが順番に配置される。
【０００６】
本考案の一実施例において、上記振動霧化部品が、実質的に供液口の下方に位置され、または供液口に平行に位置される時、液体は、吸水材により供液口へ誘導され、さらに振動霧化部品の振動により霧になり、霧噴出口から下向きの方向に沿って噴出される。
本考案の一実施例において、上記振動機構は、さらに電源供給部品を含み、電源供給部品は、振動霧化部品へ電気エネルギーを提供する。
【０００７】
本考案の一実施例において、上記振動機構は、さらに筺体を含み、筺体は、第一端面を有し、第一端面上には、取付孔が開口されており、取付孔と取り外し可能な容器の供液口とが接続され、振動霧化部品は、取付孔内に配置されている。
本考案の一実施例において、上記取付孔は、軸方向の中心が第一筺体の軸方向の中心からずれている。
【０００８】
本考案の一実施例において、上記電源供給部品は、筺体内に配置され、筺体は、第一端面と相対する第二端面を有し、霧噴出口は、筺体の第二端面上に開口されている。
本考案の一実施例において、上記電源供給部品は、電池、または筺体上に開口され、かつ外部電源と接続されているポートである。
本考案の一実施例において、上記ポートは、ユニバーサル・シリアル・バス（ＵＳＢ）ポートである。
本考案の一実施例において、上記容器内に収容される液体は、水、生理食塩水、有機溶媒、薬物または精油を添加した溶液である。
本考案の一実施例において、上記噴霧器は、超音波噴霧器である。
【０００９】
本考案の一実施例において、上記容器は、本体部と管体部とを有し、本体部と管体部とは一体成型され、かつ管体部の横断面の最大直径は、本体部の横断面の最大直径より小さく、供液口は、管体部上に開口されている。
【００１０】
本考案の噴霧器は、容器内の液体が自分自身の重力で下へ流出することを利用し、振動霧化部品により液体を飛散して霧を生成し、霧噴出口から任意の方向へ噴出する。振動霧化部品が液体液面と直接接触しないことで、液体漏れや噴霧が不均一な現象を減少させ、噴霧器の寿命を延長させる効果を奏する。また、吸水材を有する取り外し可能な容器を利用するため、使用者は、必要に応じて新瓶を交換することができ、液体を収容する環境の清潔度を確保することができる。
以下、本考案の上記又は他の目的、特徴および効果を理解してもらうため、好適な実施形態と図面を挙げて、詳細に説明する。
【図面の簡単な説明】
【００１１】
【図１】図１は本考案の第一実施例に係る噴霧器を示す立体概略図である。
【図２】図２は図１に示す噴霧器の容器を示す概略図である。
【図３】図３は図１に示す噴霧器を示す斜投影図である。
【図４】図４は図１に示す噴霧器の第一筺体の第一端面を示す概略図である。
【図５】図５は本考案の第二実施例に係る噴霧器を示す立体概略図である。
【考案を実施するための形態】
【００１２】
図１は、本考案の第一実施例に係る噴霧器を示す立体概略図である。図１を参照されたい。本考案の第一実施例に係る噴霧器１００は、超音波噴霧器であってよいが、それに限定されない。噴霧器１００は、容器１１０と振動機構１２０とを含む。振動機構１２０には、振動機構１２０の振動霧化部品の運転を制御するため、スイッチ１２６を設けることができる。
【００１３】
図２は、図１に示す噴霧器の容器を示す概略図である。図２を参照されたい。容器１１０は、取り外し可能な容器であり、霧化される予定の液体１１２を収容するのに適し、供液口１１３を有する。取り外し可能な容器１１０内に収容の霧化される予定の液体１１２は、水、生理食塩水、有機溶媒、または薬物や精油を添加した溶液であってよく、それぞれ加湿（皮膚や目の乾燥を防ぐ）、医療用途、美容、またはアロマ環境などに応用されるが、それらに限定されず、実際の使用者の需要に応じて決められる。取り外し可能な容器１１０は、管体部１１４と本体部１１５とを有する、管体部１１４と本体部１１５とは、軸線が同一直線上にあり、かつ管体部１１４と本体部１１５とは、一体成型されている。その中、取り外し可能な容器１１０内には、吸水材１４０があり、吸水材１４０は、棉またはポリマーの吸水性材料である。この吸水材１４０は、取り外し可能な容器１１０の底部から供液口１１３へ延びる。この吸水材１４０は、取り外し可能な容器１１０内の液体１１２を誘導し、液を振動霧化部品へ安定に供給する。また、管体部１１４の横断面の最大直径は、本体部１１５の横断面の最大直径より小さい。また、供液口１１３は、管体部１１４上に開口されている。容器１１０は、予め密封された容器であってよく、新しい吸水材１４０が中に設けられている。したがって、本考案は、取り外し可能な容器内の液体がなくなっても、液体を充填する必要がなく、新しい取り外し可能な容器を交換すればよいので、細菌の繁殖や汚染物を防ぐ。
【００１４】
図３は、図１に示す噴霧器を示す斜投影図である。図３を参照されたい。振動機構１２０は、振動霧化部品１２２と、霧噴出口１２３とを含む。振動機構１２０は、さらに電源供給部品１２４と、第一筺体１２５とを含む。振動霧化部品１２２および電源供給部品１２４は、第一筺体１２５内に配置される。電源供給部品１２４は、振動霧化部品１２２へ電気エネルギーを提供する。
【００１５】
本実施例において、振動機構１２０は、容器１１０の供液口１１３に接続され、かつ取り外し可能な容器１１０の供液口１１３と、振動霧化部品１２２と、霧噴出口１２３とが順番に配置される。振動霧化部品１２２が実質的に供液口１１３の垂直方向の上方に位置される時、液体１１２の液面は、振動霧化部品１２２と接触しない。
【００１６】
本考案の噴霧器１００は、霧の噴出方向が限定されない。詳しくは、振動霧化部品１２２が実質的に供液口１１３の上に位置される時、液体１１２が吸水材１４０によって振動霧化部品１２２へ誘導されると、霧が発生し、霧噴出口１２３から放出される。また、振動霧化部品１２２が実質的に供液口１１３の下方（例えば：垂直方向の下方）に位置される時、取り外し可能な容器１１０内の霧化される予定の液体１１２は、重力作用で供液口１１３から流出して振動霧化部品１２２と接触し、生成した霧は、霧噴出口１２３から垂直下向き方向に沿って噴出される。また、振動霧化部品１２２が実質的に供液口１１３と水平方向に順番に配置される時、取り外し可能な容器１１０内の霧化される予定の液体１１２は、供液口１１３から流出して振動霧化部品１２２と接触し、生成した霧は、霧噴出口１２３から水平方向に沿って噴出される。以上に述べた３つの場合は、いずれも霧噴出可能である。また、吸水材を取り付けることの利点は、噴霧器が上向きに霧を噴出することを可能にするように水を誘導するだけでなく、噴霧器の噴出口１２３が水平線以下の方向を向く時、重力の影響で容器内の液体１１２が振動霧化部品１２２へ供給される量が多すぎることを吸水材１４０によって抑えられる。
【００１７】
その中、振動霧化部品１２２は、超音波変換器であって良いが、それに限定されない。例えば、振動霧化部品１２２は、振動プレートと、振動プレートに電気的に接続されている制御電路とを含むことができる。制御電路は、高周波超音波信号を発生し、振動プレートを振動させることにより、振動プレートと接触している液体を霧化させる。電源供給部品１２４は、電池、または第一筺体１２５上に開口され、かつ外部電源と接続されているポートであってよい。本実施例において、電源供給部品１２４は、外部電源と接続されているポートであり、上記ポートは、第二端面１２５ｂ上に開口されており、ユニバーサル・シリアル・バス（ＵＳＢ）ポートであってよい。
【００１８】
図４は、図１に示す噴霧器の第一筺体の第一端面を示す概略図である。図３および図４を参照されたい。第一筺体１２５は、第一端面１２５ａと、第一端面１２５ａと相対する第二端面１２５ｂと、取付孔１２５ｃとを有する。第一端面１２５ａ上には、取付孔１２５ｃが開口されており、取付孔１２５ｃと取り外し可能な容器１１０の供液口１１３（図２）とが接続されている。振動霧化部品１２２は、取付孔１２５ｃ内に配置されている。取付孔１２５ｃは、軸方向の中心が第一筺体１２５の軸方向の中心からずれている。取付孔１２５ｃの偏心設置のため、取り外し可能な容器１１０が倒れる時、取り外し可能な容器１１０内の液体は、取付孔１２５ｃへ流れて振動霧化部品１２２と接触しやすくなる。霧噴出口１２３は、第一筺体１２５の第二端面１２５ｂ上に開口されている。
【００１９】
その中、取り外し可能な容器１１０の管体部１１４（図２）の一端には、雄ねじが設けられており、取付孔１２５ｃ内には、雌ねじが設けられている。取り外し可能な容器１１０の雄ねじと取付孔１２５ｃの雌ねじとを締めると、取付孔１２５ｃと取り外し可能な容器１１０の供液口１１３とが接続される。ただし、取り外し可能な容器１１０と取付孔１２５ｃとの接続方法は、それに限定されない。
【００２０】
図５は、本考案の第二実施例に係る噴霧器を示す立体概略図である。図５を参照されたい。第二実施例の噴霧器２００は、第一実施例の噴霧器１００に似ているが、異なるところは、第二実施例の噴霧器２００がさらに第二筺体２３０を含むところである。第二筺体２３０は、第一筺体２２５の下方に配置されており、取り外し可能な容器２１０を収容するのに適する。取り外し可能な容器２１０および第一筺体２２５は、容器２１０内の液体液面の変化を観察するため、透明または半透明の材料で製造することができる。
以上をまとめると、本考案の噴霧器は、少なくとも以下の利点を有する：
【００２１】
１．本考案の噴霧器は、取り外し可能な容器内に吸水材が有り、内部の霧噴出用液体がなくなった時、新しい取り外し可能な容器を交換するのに便利であるため、液体を保存する環境の清浄度を保持することができる。したがって、使用者は、霧が汚染されるのを心配することなく、安心して本考案の噴霧器を使用することができる。
２．本考案は、交換可能な容器内の吸水材により、噴霧器がさらに安定に霧を噴出し、また水漏れを防ぐことができる。
【００２２】
３．本考案の噴霧器の容器内の液体は、自分自身の重力で下へ流出して振動霧化部品と接触し、生成した霧は、霧噴出口から下向きまたは水平の方向に沿って噴出され、霧が上へ噴出され使用者の鼻口へ入ることを防ぐ。
【００２３】
４．本考案の噴霧器は、使用しない時、振動霧化部品を実質的に供液口の上方に位置させることができる。振動霧化部品が液体液面と直接接触しないことで、液体漏れや噴霧が不均一な現象を減少させ、噴霧器の寿命を延長させる。
【００２４】
以上のように好適な実施例により本考案を開示したが、本考案は、上記内容に限定されない。当業者は、本考案の主旨および開示範囲から逸脱することなく、様々な変更および修正を行うことが可能である。したがって、本考案の保護範囲は、添付されている以下の実用新案登録請求の範囲により定義される。
【符号の説明】
【００２５】
１００、２００  噴霧器
１１０、２１０  取り外し可能な容器
１１２  液体
１１３  供液口
１１４  管体部
１１５  本体部
１２０  振動機構
１２２  振動霧化部品
１２３  霧噴出口
１２４  電源供給部品
１２５、２２５  第一筺体
１２５ａ  第一端面
１２５ｂ  第二端面
１２５ｃ  取付孔
１２６  スイッチ
１４０  吸水材
２３０  第二筺体
２４０  吸水材
【図１】
0003171422.tif 000003
【図２】
0003171422.tif 000004
【図３】
0003171422.tif 000005
【図４】
0003171422.tif 000006
【図５】
0003171422.tif 000007